(57)【特許請求の範囲】
【請求項１】
リール本体に回転可能に支持されたスプールと、このスプールを釣糸巻取り方向に回転駆動させるモータと、このモータの出力を調節するモータ出力調節部と、実釣時において必要となる諸データを表示する表示部とを備えた魚釣用電動リールにおいて、
操作量に応じてモータ出力を増減変更する操作レバーを有する前記モータ出力調節部がリール本体の握持した手の指で操作できる位置に対して着脱自在に取り付けられるとともに、リール本体に取り付けた状態およびリール本体から分離した状態のいずれかの状態においても、無線通信によって前記モータ出力が制御されることを特徴とする魚釣用電動リール。
【発明の詳細な説明】
【０００１】
【発明の属する技術分野】
本発明は、魚釣用リールに係わり、特に遠隔操作が可能な魚釣用リールに関する。
【０００２】
【従来の技術】
一般に、魚釣用リールは、リール本体と、リール本体に回転可能に支持され且つ釣糸を巻回保持するスプールとを備えている。また、魚釣用リールは、スプールに保持された釣糸を繰り出すためのクラッチ機構と、繰り出された釣糸を巻き取る巻取り駆動機構とを備えている。
【０００３】
また、近年、繰り出される釣糸の長さを計測するための糸長計測装置や、クラッチを自動復帰させることで仕掛けを所定の棚に自動停止させる棚停止機構、あるいは、スプールを電動駆動するスプールモータ等の電子制御装置を備えたリールが知られている。
【０００４】
前記電子制御装置は、一般に、リール本体に取り付け固定された操作部の操作によって動作される。また、電子制御装置の遠隔操作を可能とすべく、実開平２−１３８５６９号公報や特開平８−２４２７３４号公報等には、魚釣用リールとは別体のリモコン等によって電子制御装置を動作させる技術が開示されている。
【０００５】
【発明が解決しようとする課題】
ところで、電子制御装置の遠隔操作は、魚釣用リールの操作性を向上できる点で非常に有益である。しかし、実開平２−１３８５６９号公報や特開平８−２４２７３４号公報等に開示された技術では、リール本体と電子制御装置の操作部とが互いに独立した別体のものであるため、保管収納が嵩張る上、釣行の際にはこれら２つを持ち運びしなければならず、また、遠隔操作をしない場合には、操作部の置き場に困る場合もある。また、リール本体と操作部との一体性がないため、操作部を紛失し易く、紛失すると遠隔操作が不可能もしくは電子制御装置それ自体の操作が全く不可能になるといった問題も生じる。
【０００６】
本発明は前記事情に着目してなされたものであり、その目的とするところは、電子制御装置の遠隔操作が可能で且つ電子制御装置の操作部の紛失を防止できる携帯性の優れた魚釣用リールを提供することにある。
【０００７】
【課題を解決するための手段】
前記課題を解決するために、本発明の魚釣用電動リールは、リール本体に回転可能に支持されたスプールと、このスプールを釣糸巻取り方向に回転駆動させるモータと、このモータの出力を調節するモータ出力調節部と、実釣時において必要となる諸データを表示する表示部とを備えた魚釣用電動リールにおいて、操作量に応じてモータ出力を増減変更する操作レバーを有する前記モータ出力調節部がリール本体の握持した手の指で操作できる位置に対して着脱自在に取り付けられるとともに、リール本体に取り付けた状態およびリール本体から分離した状態のいずれかの状態においても、無線通信によって前記モータ出力が制御されることを特徴とする。
【００１０】
【発明の実施の形態】
以下、図面を参照しながら本発明の実施形態について説明する。
【００１１】
図１〜図４は本発明の第１の実施形態を示している。図１に示されるように、本実施形態に係る魚釣用電動リール１は、ハンドル２が回転可能に取り付けられたリール本体４を備えている。リール本体４の左右フレーム間には、スプール軸（図示せず）が軸受によって回転可能に支持されており、前記スプール軸を囲繞するようにスプール８が配置されている。
【００１２】
前記スプール軸のハンドル２側には、魚釣時にハンドル２を手動で回転操作した際に、釣糸に対して所望の制動力を与えつつ且つ所望の回転力でスプール８を釣糸巻取方向に回転させるための釣糸巻取駆動機構が配置されている。
【００１３】
また、リール本体４の左右フレーム間には、釣糸巻取方向にスプール８を回転駆動させるスプール駆動用モータ２４（以下、単にモータという。）が保持されている。また、モータ２４の回転軸とスプール８は、図示しない減速歯車機構を介して互いに連結されている。したがって、モータ２４の回転運動は、前記減速歯車機構を介して所定量だけ減速された後、スプール８に伝達され、これにより、スプール８が釣糸巻取方向に回転される。
【００１４】
リール本体４には、後述する制御回路（電子制御装置）を操作する操作部、具体的には、駆動部であるモータ２４の出力（回転運動）を連続的に増減調節するためのモータ出力調節部４０が着脱自在に設けられている。図２および図３に拡大して示されるように、モータ出力調節部４０は、リール本体４を握持した手の指で操作できる位置に設けられた操作レバー１０と、操作レバー１０を回転可能に支持する回転軸１２ａを有するポテンションメータ１２と、ポテンションメータ１２を内部に収容保持するとともにリール本体４の操作部取り付け孔５０に着脱自在に取り付けられるケース１５とを備えている。ポテンションメータ１２は、後述する制御回路に操作信号を無線で送信するための送信部１６を有しており、ケース１５に螺着される蓋体１９によってケース１５からの抜けが防止されつつ保持されている。
【００１５】
また、ケース１５の外周面には一対の突起１５ａ，１５ｂが設けられており、これらの突起１５ａ，１５ｂはリール本体４の操作部取り付け孔５０の内周面に形成された一対の係合溝２１，２１に係合されるようになっている。具体的には、各係合溝２１は、図３に明確に示されるように、操作部取り付け孔５０の軸方向に沿って延び且つ操作部取り付け孔５０の端部で開放される第１の溝部２１ａと、この第１の溝部２１ａに対して略直角に接続し且つ操作部取り付け孔５０の周方向に沿って延びる第２の溝部２１ｂとからなる。したがって、第１の溝部２１ａの開放端から第１の溝部２１ａ内にケース１５の突起１５ａ（１５ｂ）を導入しつつケース１５を操作部取り付け孔５０内に軸方向に沿って押し込み、その後、第１の溝部２１ａの終端でケース１５を回転させて突起１５ａ（１５ｂ）を第２の溝部２１ｂに導入させれば、ケース１５すなわちモータ出力調節部４０が操作部取り付け孔５０から軸方向に抜けることが防止される。なお、図１および図２はモータ出力調節部４０をリール本体４の操作部取り付け孔５０に取り付けた状態を、また、図３はモータ出力調節部４０をリール本体４の操作部取り付け孔５０から取り外した状態をそれぞれ示している。
【００１６】
また、図３の取り外し状態で操作部取り付け孔５０の開口を閉じるために、操作部取り付け孔５０には図４に示されるように蓋体４３を着脱自在に取り付けられるようになっている。この場合、蓋体４３は、ケース１５と同様の形態で操作部取り付け孔５０に取り付けられ得るように、操作部取り付け孔５０の一対の係合溝２１，２１と係合可能な一対の突起４３ａ，４３ｂを有している。
【００１７】
図１に示されるように、操作者（例えば釣り人）と対向するリール本体４の表面には、電子制御装置としての制御回路を収納する制御ユニット４５が搭載されている。この制御ユニット４５は、例えば、リール本体４の左右フレームと一体構造の水密型の収納部内に装着されてリール本体４に組み付けられている。また、制御ユニット４５に収納された前記制御回路は、モータ出力調節部４０に設けられたポテンションメータ１２の送信部１６からの操作信号を受ける受信部を有しており、前記操作信号に応じてモータ２４への駆動電流通電時間率を可変制御する。また、制御ユニット４５の操作パネル４６上には、実釣時において必要となる諸データを表示するデジタル表示部等が配設されている。
【００１８】
次に、上記構成の魚釣用電動リール１の特徴的な動作について説明する。
【００１９】
まず、図１および図２に示されるように、モータ出力調節部４０をリール本体４の操作部取り付け孔５０に取り付けた状態で、モータ出力調節部４０の操作レバー１０をＯＦＦ位置から所定量回動操作すると、その操作（回動）量に応じたモータ出力で釣糸の巻き上げが開始され（スプール８が釣糸巻取方向に回転し）、以後は、操作レバー１０の操作に応じてモータ出力を連続的に変化させることができる。
【００２０】
具体的には、操作レバー１０を回動操作してポテンションメータ１２の回転軸１２ａを回転させると、ポテンションメータ１２内でブラシが固定された抵抗体上を摺動し、抵抗体の抵抗値が変化する。このポテンションメータ１２の抵抗値の変化は、操作信号として送信部１６から制御ユニット４５内の制御回路の受信部へと無線送信される。制御回路は、操作信号（操作レバー１０の操作量（抵抗変化））に応じたパルス信号のデューティー比としてモータ２４への駆動電流通電時間率を可変制御し、モータ２４の回転を巻き上げ停止状態から最大値（０〜１００％）まで連続して増減変更する。
【００２１】
一方、釣糸の巻取り動作（モータ２４の駆動）を遠隔的に行なう場合には、図３に示されるように、モータ出力調節部４０をリール本体４の操作部取り付け孔５０から取り外し（この場合、図４に示されるように操作部取り付け孔５０の開口を蓋体４３によって閉じることが望ましい）、前述したと同様に、モータ出力調節部４０の操作レバー１０をリール１から離れた場所でＯＦＦ位置から所定量回動操作する。この場合も前述したと同様、操作レバー１０の操作量に対応した操作信号が送信部１６から制御ユニット４５内の制御回路の受信部へと無線送信され、操作レバー１０の操作（回動）量に応じたモータ出力で釣糸の巻き上げが行なわれる。
【００２２】
以上説明したように、本実施形態の魚釣用電動リール１は、モータ２４の出力（回転運動）を連続的に増減調節するためのモータ出力調節部４０がリール本体４の操作部取り付け孔５０に着脱自在に取り付けられ、しかも、モータ出力調節部４０をリール本体４に取り付けた状態およびリール本体４から分離した状態のいずれの状態においても、無線通信により制御回路（電子制御装置）を操作する（モータ出力を制御する）ことができるようになっている。
【００２３】
このように、モータ出力調節部４０を装着するためのスペース（操作部取り付け孔５０）がリール本体４側に確保され、リール本体４とモータ出力調節部４０との一体性が得られれば、遠隔操作体としてのモータ出力調節部４０の紛失を防止できる。また、遠隔操作を行なわない場合には、モータ出力調節部４０をリール本体４側に装着した状態で使用すれば、モータ出力調節部４０の置き場に困るといったこともない。また、モータ出力調節部４０をリール本体４側に装着した状態で持ち運び或いは保管収納すれば、モータ出力調節部４０が嵩張るといった問題もなくなる。
【００２４】
また、モータ出力調節部４０をリール本体４に取り付けた状態およびリール本体４から分離した状態のいずれの状態においても、無線通信によりモータ出力を制御することができるため、実釣時における操作方法（遠隔操作あるいは通常のリール本体４側での操作）の選択肢が増え、様々な釣法に対応することが可能となる。
【００２５】
また、操作手段が無線であるため、配線の断線等のトラブルを回避できるとともに、デジタル表示部、モータ出力調節部、電動の駆動制御部（パワーＭＯＳ・ＦＥＴ：パワートランジスタ等）を別々に収容することができるため、配線用の開口部を設ける必要がなくなり、防水性能が向上する。
【００２６】
図５は他の魚釣用電動リールを示す。この電動リールは特許請求の範囲に記載の発明には含まれない開示例であるが、上述の第１の実施形態と共通する構成部分については、同一符号を付してその説明を省略する。
【００２７】
図５に示す魚釣用電動リールでは、制御ユニット４５に収納された前記制御回路とモータ出力調節部４０に設けられたポテンションメータ１２とが配線６４によって電気的に接続されている（有線接続されている）。この場合、配線６４は、例えばリール本体４側に設けられたコードリールに巻回されており、リール本体４側から所定長引き出すことができる。また、配線６４は、何らかの付勢手段により、前記コードリールへと巻き戻される方向に付勢されるようになっていても良い。また、配線６４とケース１５との間には、水密を確保するためのシール部材６３が設けられている。なお、それ以外の構成は第１の実施形態と同一である。したがって、第１の実施形態と略同一の作用効果を得ることができる。
【００２８】
図６は本発明の第２の実施形態を示している。なお、本実施形態において、第１の実施形態と共通する構成部分については、同一符号を付してその説明を省略する。
【００２９】
図示のように、本実施形態に係る魚釣用電動リールでは、制御ユニット４５がリール本体４に対して着脱自在に取り付けられている。この制御ユニット４５には、前述した制御回路やデジタル表示部の他、モータ２４のＯＮ／ＯＦＦスイッチやタイマー、棚停止スイッチ等の操作部（各種の設定を行なえる）が設けられている。また、制御ユニット４５は、その操作パネル４６上での操作に伴う操作信号あるいは制御回路からの制御信号をリール本体４側に設けられた受信部（図示せず）に無線送信するための送信部４５ａを有している。
【００３０】
前記受信部は、モータ２４の駆動に関与する制御信号を形成する電子制御装置など、制御ユニット４５側の操作部の種類に応じてリール本体４側に設けられる装置に関連付けられており、送信部４５ａから送られた操作信号または制御信号を受信する。なお、それ以外の構成は第１の実施形態と同一である。したがって、第１の実施形態と略同一の作用効果を得ることができる。
【００３１】
図７は本発明の第３の実施形態を示している。なお、本実施形態において、第１の実施形態と共通する構成部分については、同一符号を付してその説明を省略する。
【００３２】
図示のように、本実施形態に係る魚釣用電動リールでは、制御ユニット４５とモータ出力調節部４０とが１つのユニットを構成して一体となってリール本体４から取り外せるようになっている。また、この実施形態では、リール本体４側から一体で取り外された制御ユニット４５とモータ出力調節部４０とを別に用意されたセッティングパネルにセットした状態で使用できるようにしても良い。このようにすれば、リール本体４側から分離された制御ユニット４５およびモータ出力調節部４０の携帯性が向上し、また、操作性も良くなる。それ以外の構成は第１および第２の実施形態と同一である。
【００３３】
なお、本発明は、前述した実施形態に限定されることなく、その要旨を逸脱しない範囲で種々変形実施できることは言うまでもない。例えば、前述した実施形態ではいずれも電動リールについて説明されているが、駆動部の作動を制御する電子制御装置と電子制御装置を操作する操作部とがリール本体に設けられた魚釣用リールであれば、手動の魚釣用リールにも本発明を適用できることは言うまでもない。また、リール本体４と操作部（モータ出力調節部４０や制御ユニット４５等）との着脱形態としては、前述した実施形態の他、スナップフィット式、ネジ式、カム式、磁力による形態など、状況に応じた任意の形態を採用することができる。
【００３４】
【発明の効果】
以上説明したように、本発明によれば、電子制御装置の遠隔操作が可能で且つ電子制御装置の操作部の紛失を防止できる携帯性の優れた魚釣用リールを提供できる。また、リール本体に取り付けた状態およびリール本体から分離した状態のいずれかの状態においても操作手段が無線であることにより、実釣時における操作方法（遠隔操作あるいは通常のリール本体側での操作）の選択肢が増え、様々な釣法に対応することが可能であり、更に、配線の断線等のトラブルを回避できるとともに、デジタル表示部、モータ出力調節部、電動の駆動制御部（パワーＭＯＳ・ＦＥＴ：パワートランジスタ等）を別々に収容することができるため、配線用の開口部を設ける必要がなくなり、防水性能が向上する。
【図面の簡単な説明】
【図１】本発明の第１の実施形態に係る魚釣用電動リールの一部断面を有する正面図である。
【図２】図１の魚釣用電動リールの要部拡大断面図であり、モータ出力調整部をリール本体に取り付けた状態を示す図である。
【図３】図１の魚釣用電動リールの要部拡大断面図であり、モータ出力調整部をリール本体から取り外した状態を示す図である。
【図４】モータ出力調整部が取り外されたリール本体の開口部に蓋体を取り付ける様子を示す断面図である。
【図５】  開示例に係る魚釣用電動リールの要部拡大断面図である。
【図６】  本発明の第２の実施形態に係る魚釣用電動リールの正面図である。
【図７】  本発明の第３の実施形態に係る魚釣用電動リールの正面図である。
【符号の説明】
１…魚釣用電動リール
４…リール本体
１０…操作レバー
２４…モータ
４０…モータ出力調節部（操作部）
４５…制御ユニット
【図１】
0003780152.tif 000002
【図２】
0003780152.tif 000003
【図３】
0003780152.tif 000004
【図４】
0003780152.tif 000005
【図５】
0003780152.tif 000006
【図６】
0003780152.tif 000007
【図７】
0003780152.tif 000008